(57)【要約】【目的】操作パネルから離れた場所でも操作パネルと同じ情報をリアルタイムに確認可能な画像処理装置を提供すること。【構成】画像記録手段、装置の状態を検出する状態検出手段、検出された装置の状態を機器の操作部に表示するユーザインターフェース手段及びネットワーク通信手段を含む画像処理装置において、前記画像処理装置は前記状態検出手段によって検出された装置の状態を前期操作部に表示し、且つ、同じ表示内容をネットワーク通信手段を通して定期的又は状態の変化時に送信し、ホストコンピュータ上のＷｅｂブラウザに表示する手段を設ける。【選択図】　　　図１
2004056345.tif 000002
【特許請求の範囲】
【請求項１】
画像記録手段、装置の状態を検出する状態検出手段、検出された装置の状態を機器の操作部に表示するユーザインターフェース手段及びネットワーク通信手段を含む画像処理装置において、
前記画像処理装置は前記状態検出手段によって検出された装置の状態を前期操作部に表示し、且つ、同じ表示内容をネットワーク通信手段を通して定期的又は状態の変化時に送信し、ホストコンピュータ上のＷｅｂブラウザに表示する手段を有することを特徴とする画像処理装置。
【請求項２】
前記ネットワーク通信手段に接続されたホストコンピュータからの入力信号を受信する入力信号受信手段と、入力信号を画像処理装置の動作指示に対応付ける入力信号変換手段を持ち、前記ネットワーク通信手段を介してホストコンピュータからの遠隔操作が可能であることを特徴とする請求項１記載の画像処理装置。
【発明の詳細な説明】
【０００１】
【発明の属する技術分野】
本発明は、ネットワーク通信機能を備える画像処理装置に関する。
【０００２】
【従来の技術】
複写機、ファクシミリ、複合機（以後、複合機と称す）において、複合機のメンテナンス時に、装置のセンサやアクチュエータの状態が装置の表示部に表示される。又、タッチパネルやキーボードによりオペレータが入力をすることで、アクチュエータを動作させて動作をさせる。
【０００３】
メンテナンスをするオペレータはセンサの入力を変化させ、その結果を操作部のディスプレイに表示させてセンサの動作が正常であるかを確認できる。
【０００４】
又、操作パネルから入力指示をすることでモータやソレノイド等のアクチュエータを動作させて動作を確認する。
【０００５】
【発明が解決しようとする課題】
一般に複合機の操作パネルは固定されており、大型の装置や操作パネルから離れた部分のメンテナンスを行うには複数人必要であったり、オペレータが何回も移動する必要があった。又、ネットワークを用いて装置情報をＷｅｂサーバを通し、Ｗｅｂブラウザを用いて表示する場合でも、最新の情報を表示させるにはホストコンピュータから再読み込み指示をしなくては表示内容が更新されず、操作が煩雑であった。
【０００６】
又、モータ等のアクチュエータを動作させるには操作パネルから入力をするためにオペレータの移動が必要となり、煩雑になってしまうという問題があった。
【０００７】
本発明は上記問題に鑑みてなされたものであり、その目的とする処は、操作パネルから離れた場所でも操作パネルと同じ情報をリアルタイムに確認可能な画像処理装置を提供することにある。
【０００８】
又、本発明の目的とする処は、ホストコンピュータからの入力信号を操作パネルの入力に対応付けてモータ等のアクチュエータを動作可能な画像処理装置を提供することにある。
【０００９】
【課題を解決するための手段】
上記目的を達成するため、本発明は、画像記録手段、装置の状態を検出する状態検出手段、検出された装置の状態を機器の操作部に表示するユーザインターフェース手段及びネットワーク通信手段を含む画像処理装置において、前記画像処理装置は前記状態検出手段によって検出された装置の状態を前期操作部に表示し、且つ、同じ表示内容をネットワーク通信手段を通して定期的又は状態の変化時に送信し、ホストコンピュータ上のＷｅｂブラウザに表示する手段を設けたことを特徴とする。
【００１０】
【発明の実施の形態】
以下に本発明の実施の形態を添付図面に基づいて説明する。
【００１１】
図１は本発明に係る画像処理装置を使用したシステムの構成図である。画像処理装置１００はネットワーク接続手段をもった画像処理装置で、インターネット、イントラネット等のネットワーク２００と接続されている。画像処理装置オペレータ３００は、ネットワーク接続可能なホストコンピュータ４００を携帯しており、ネットワークを使って情報を送受信可能である。
【００１２】
画像処理装置１００は、ネットワーク接続手段１１０を持ち、ネットワーク接続手段にはＬＡＮを用いたものと公衆電話回線を用いたもの等の複数の形態が考えられる。
【００１３】
装置状態検出手段１２０は各種のセンサから構成され、紙の残量等を知ることができる。ユーザインターフェース手段１５０は、情報を表示するＬＣＤパネルと、オペレータからの入力を検知するためのタッチパネル及びキーボードから構成される。
【００１４】
スキャン手段１７０は原稿を読み取り、電子データに変換する。プリント手段１６０はスキャン手段１７０によって読み取られた画像データや、ネットワーク経由で受信した画像データを紙媒体にプリントする。
【００１５】
画像処理装置の状態や消耗は装置状態検出手段１２０によって検知される。コントローラ手段１４０は装置状態をユーザインターフェース手段１５０上のＬＣＤパネルに表示させる。
【００１６】
コントローラ手段１４０は、一定間隔の時間で、ＬＣＤパネル上に表示されている装置状態を画像データとしてデータファイルを作成する。データファイルはネットワーク手段２００を通して、ホストコンピュータに送信される。データの送信は画像処理装置上でＪａｖａプログラムを動作させ、データファイルをＨＴＭＬプロトコルで送信したり、ＦＴＰプロトコルを用いてホストコンピュータのファイルシステムに書き込むことで実現可能である。
【００１７】
一方、画像処理装置オペレータ３００は、ホストコンピュータ４００上からマウス等を使って画像処理装置にアクチュエータの動作指示を伝える。ネットワーク手段２００を通して伝えられた指示信号は、入力信号変換手段１８０によりユーザインターフェース手段１５０上の対応する指令に変換され、コントローラ手段１４０によってアクチュエータを動作させる。
【００１８】
図２は画像処理装置のＬＣＤバネルとホストコンピュータ上に表示される装置状態の表示画面例を示す図である。
【００１９】
図３に画像処理装置の状態をホストコンピュータに表示させるまでの処理の流れを示す。
【００２０】
オペレータにより、ホストコンピュータ上のＷｅｂブラウザソフトが起動され、画像処理装置上で動作しているＷｅｂサーバのアドレスが入力される（Ｓ３０１）。指定されたアドレスからＷｅｂページが読み込まれ、更にＪａｖａアプレットが読み込まれる（Ｓ３０２）。これ以降オペレータがブラウザを終了するまで処理が続けられる（Ｓ３０３）。
【００２１】
Ｊａｖａアプレットは、画像処理装置内で常に更新されているＬＣＤパネルに表示するためのＶＲＡＭエリアから表示データを読み出し、ブラウザ上に表示可能なＪＰＥＧファイルに変換する（Ｓ３０４）。ＪＡＶＡアプレットにより作成されたファイルを用いて、ブラウザ上にＬＣＤパネルと同じ画面が表示される（Ｓ３０５）。
【００２２】
図４にホストコンピュータから入力されたオペレータの入力指示により画像処理装置のアクチュエータを動作させるまでの処理の流れを示す。
【００２３】
オペレータによりホストコンピュータ上のＷｅｂブラウザソフトが起動され、画像処理装置上で動作しているＷｅｂサーバのアドレスが入力される（Ｓ４０１）。これ以降オペレータがブラウザを終了するまで処理が続けられる（Ｓ４０２）。
【００２４】
図３で記した処理と同じ手順でブラウザ上にはアクチュエータの現在の動作状況がリアルタイムで表示されている（Ｓ４０３）。動作させたいアクチュエータの上までマウスカーソルを移動させ、マウスをクリックする（Ｓ４０４）。
【００２５】
ＪＡＶＡアプレットにより、クリックした位置のＸ，Ｙ座標が画像処理部の入力信号変換手段に送信される（Ｓ４０５）。入力信号変換手段はＸ，Ｙ座標に対応するアクチュエータのＯＮ／ＯＦＦを切り替える（Ｓ４０６）。
【００２６】
【発明の効果】
以上の説明で明らかなように、本発明によれば、装置の状態を検出して、ネットワーク通信手段を通じてホストコンピュータへ画像処理装置の状況を表示通知することで、操作パネルから離れた場所でも操作パネルと同じ情報をリアルタイムに確認可能となる。
【００２７】
又、本発明によれば、ホストコンピュータからの入力を操作パネルの入力に対応付けてモータ等のアクチュエータを操作パネルから離れた場所でも操作可能となる。
【図面の簡単な説明】
【図１】本発明の画像処理装置を用いたシステムの機能ブロック図である。
【図２】本発明によりホストコンピュータ上に表示される画像処理装置の状態表示画面の例を示す図である。
【図３】本発明に係る画像処理装置を用いたシステムの処理のフローチャートである。
【図４】本発明に係る画像処理装置を用いたシステムの処理のフローチャートである。
【符号の説明】
１００　　　画像処理装置
１１０　　　ネットワーク接続手段
１２０　　　状態検出手段
１４０　　　コントローラ手段
１５０　　　ユーザインターフェース手段
１６０　　　プリント手段
１７０　　　スキャン手段
１８０　　　入力信号変換手段
２００　　　ネットワーク
３００　　　画像処理オペレータ
４００　　　ホストコンピュータ
【図１】
2004056345.tif 000003
【図２】
2004056345.tif 000004
【図３】
2004056345.tif 000005
【図４】
2004056345.tif 000006